【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
コンピュータ支援工学（ＣＡＥ）解析において材料経時変化効果のシミュレーションを可能にする方法であって、
特定のクロノ・レオロジー材料のそれぞれの試料に対する複数の対応材料特性試験を行なうステップであって、該それぞれの試料は異なる経時変化を受けており、それぞれの試験は対応する試料の１つの一連のリラクセーション試験データを得るように構成されており、該一連のリラクセーション試験データのそれぞれは所定の変位あるいは歪みで対応する試料を維持することによって測定されるステップと、
１ペアの試料の前記一連のリラクセーション試験データを関連づけ、１セットの第１および第２時間依存材料経時変化効果パラメータを決定するステップと、
材料経時変化効果を前記１セットの第１および第２時間依存材料経時変化効果パラメータを含んでいるクロノ・レオロジー材料構造方程式によって数値的に表わすことができるようＣＡＥ解析アプリケーションモジュールを構成するステップであって、該ＣＡＥ解析アプリケーションモジュールは少なくとも部分的にクロノ・レオロジー材料を含んでいる工学構造体のＣＡＥ解析を行なうために用いられるとともに、該ＣＡＥ解析はユーザが工学構造体の設計を改善する際の決定を支援するために用いられるステップと、
を備える方法。
【請求項２】
請求項１に記載の方法であって、前記それぞれの材料特性試験は、対応試料の軸方向応力としてのリラクセーション試験データを有する単軸方向の試験プロシージャを備える方法。
【請求項３】
請求項１に記載の方法であって、前記それぞれの材料特性試験は、対応試料の膨張圧としてのリラクセーション試験データを有する二軸方向の試験プロシージャを備える方法。
【請求項４】
請求項１に記載の方法であって、１セットの第１および第２時間依存材料経時変化効果パラメータを決定することは、さらに、
垂直軸と水平軸を有する二次元両対数スケールチャート上に第１および第２曲線として前記試料のうちの前記ペアの前記一連のリラクセーション試験データをプロットすることであって、前記垂直軸はリラクセーション試験データを表わすとともに前記水平軸は試験時間を表していることと、
前記チャートにおいてシフトすることによって第１曲線を第２曲線に一致させることと、
を備えている方法。
【請求項５】
請求項４に記載の方法であって、前記第１時間依存材料経時変化効果パラメータが、前記シフト操作の垂直方向のシフト量である方法。
【請求項６】
請求項４に記載の方法であって、前記第２時間依存材料経時変化効果パラメータが、前記シフト操作の水平方向のシフト量である方法。
【請求項７】
請求項１に記載の方法であって、クロノ・レオロジー材料構造方程式は、クロノ・レオロジー材料の歪み−応力関係を定義する方法。
【請求項８】
請求項１に記載の方法であって、前記異なる経年数が１日から６ヶ月までの間である方法。
【請求項９】
コンピュータ上で実行されるコンピュータ支援工学（ＣＡＥ）解析アプリケーションモジュールを用いて、少なくとも部分的にクロノ・レオロジー材料を含んでいる工学構造体における材料経時変化効果をシミュレートするためのシステムであって、該システムは工学構造体のＣＡＥ解析を行なうように構成されるコンピュータを備え、前記ＣＡＥ解析は、
クロノ・レオロジー材料のそれぞれの試料に対する複数の対応材料特性試験を行なった結果としての、ユーザ入力から１セットの第１および第２時間依存材料経時変化効果パラメータを受け取り、該それぞれの試料は異なる経時変化を受けており、それぞれの試験は対応する試料の１つの一連のリラクセーション試験データを得るように構成されており、該一連のリラクセーション試験データのそれぞれは所定の変位あるいは歪みで対応する試料を維持することによって測定され、
１ペアの試料の前記一連のリラクセーション試験データを関連づけることによって、１セットの第１および第２時間依存材料経時変化効果パラメータが決定され、
前記１セットの第１および第２時間依存材料経時変化効果パラメータがＣＡＥ解析アプリケーションモジュールにおいて構成されるクロノ・レオロジー材料構造方程式に関連され、
クロノ・レオロジー材料構造方程式に応じて材料経時変化効果を有する工学構造体のＣＡＥ解析を行なう、
ことを備えているシステム。
【請求項１０】
請求項９に記載のシステムであって、前記試料のうちの前記ペアの前記一連のリラクセーション試験データを関連づけることは、さらに、垂直軸と水平軸を有する二次元両対数スケールチャート上に第１および第２曲線として前記試料のうちの前記ペアの前記一連のリラクセーション試験データをプロットすることであって、前記垂直軸はリラクセーション試験データを表わすとともに前記水平軸は試験時間を表していることと、
前記チャートにおいてシフトすることによって第１曲線を第２曲線に一致させることと、
を備えているシステム。
【請求項１１】
請求項１０に記載のシステムであって、第１時間依存材料経時変化効果パラメータが、前記シフト操作の垂直方向のシフト量であるシステム。
【請求項１２】
請求項１０に記載のシステムであって、第２時間依存材料経時変化効果パラメータが、前記シフト操作の水平方向のシフト量であるシステム。
【請求項１３】
請求項９に記載のシステムであって、前記異なる経年数が１日から６ヶ月であるシステム。
【請求項１４】
少なくとも部分的にクロノ・レオロジー材料を含んでいる工学構造体における材料経時変化効果をシミュレートするためのコンピュータ可読プログラムを有する非一時的コンピュータ可読記憶媒体を備えるコンピュータプログラム製品であって、
コンピュータ可読プログラムがコンピュータで実行されるとき、コンピュータがおこなうステップは、
特定のクロノ・レオロジー材料のそれぞれの試料に対する複数の対応材料特性試験を行なう結果としての、ユーザ入力から１セットの第１および第２時間依存材料経時変化効果パラメータを受け取り、
該それぞれの試料は異なる経時変化を受け、前記試験は対応する試料の１つの一連のリラクセーション試験データを得るように構成されており、該一連のリラクセーション試験データのそれぞれは所定の変位あるいは歪みで対応する試料を維持することによって測定され、
１ペアの試料の前記一連のリラクセーション試験データを関連づけることによって、１セットの第１および第２時間依存材料経時変化効果パラメータを決定され、
前記１セットの第１および第２時間依存材料経時変化効果パラメータがＣＡＥ解析アプリケーションモジュールにおいて構成されるクロノ・レオロジー材料構造方程式に関連され、
クロノ・レオロジー材料構造方程式に応じて材料経時変化効果を有する工学構造体のＣＡＥ解析を行なう、
ことを備えているコンピュータプログラム製品。
【請求項１５】
請求項１４に記載のコンピュータプログラム製品であって、前記１セットの第１および第２時間依存材料経時変化効果パラメータを決定することは、さらに、
垂直軸と水平軸を有する二次元両対数スケールチャート上に第１および第２曲線として前記試料のうちの前記ペアの前記一連のリラクセーション試験データをプロットすることであって、前記垂直軸はリラクセーション試験データを表わすとともに前記水平軸は試験時間を表していることと、
前記チャートにおいてシフトすることによって第１曲線を第２曲線に一致させることと、
を備えているコンピュータプログラム製品。
【請求項１６】
請求項１５に記載のコンピュータプログラム製品であって、第１時間依存材料経時変化効果パラメータが、前記シフト操作の垂直方向のシフト量であるコンピュータプログラム製品。
【請求項１７】
請求項１５に記載のコンピュータプログラム製品であって、第２時間依存材料経時変化効果パラメータが、前記それぞれのペアに一致する前記シフト操作の水平方向のシフト量であるコンピュータプログラム製品。
【請求項１８】
請求項１４に記載のコンピュータプログラム製品であって、前記異なる経年数が１日から６ヶ月であるコンピュータプログラム製品。